(57)【要約】【課題】  安全且つ低労力で、解体作業を行なうことができる箱体及び緩衝材を提供すること。【解決手段】  連続する波形曲線からなる外形輪郭線で囲まれる一のシート材からなる箱体であって、筒状の胴体部と、該胴体部の両端を閉塞する一対の閉塞面と、該閉塞面に接続するとともに、前記箱体の角隅部に配される筒状の緩衝材からなり、前記緩衝材の周面に少なくとも１つのロック用開口部が形成され、前記箱体は、前記ロック用開口部に係合可能なロック用舌片を備え、前記ロック用舌片及び前記ロック用開口部の外形輪郭が直線から形成されることを特徴とする箱体である。【選択図】  図１
2010126202.tif 000002
【特許請求の範囲】
【請求項１】
連続する波形曲線からなる外形輪郭線で囲まれる一のシート材からなる箱体であって、
筒状の胴体部と、
該胴体部の両端を閉塞する一対の閉塞面と、
該閉塞面に接続するとともに、前記箱体の角隅部に配される筒状の緩衝材からなり、
前記緩衝材の周面に少なくとも１つのロック用開口部が形成され、
前記箱体は、前記ロック用開口部に係合可能なロック用舌片を備え、
前記ロック用舌片及び前記ロック用開口部の外形輪郭が直線から形成されることを特徴とする箱体。
【請求項２】
前記緩衝材は、前記閉塞面から連接するとともに折り曲げ線により区画される５つの面からなり、
前記緩衝材は、各面を他の面に対して、前記折り曲げ線を軸に折り曲げて、角筒状に形成され、
前記５つの面のうち、前記閉塞面に隣接する面は、前記ロック用舌片を備え、
前記５つの面のうち、前記閉塞面から最も離れた面に隣接する面は、前記ロック用開口部を備えることを特徴とする請求項１記載の箱体。
【請求項３】
前記ロック用舌片の基端部にミシン目加工が施されることを特徴とする請求項１又は２記載の箱体。
【請求項４】
連続する波形曲線からなる外形輪郭線で囲まれる一のシート材を折り曲げてなる角筒状の緩衝材であって、
前記シート材は、折り曲げ線により区画される５つの面を有し、
前記シート材の一方の端に存する面と、他方の端に存する面が重ねられ、
前記一方の端に存する面は、該面から折り曲げられて突出するロック用舌片を備え、
前記他方の端に存する面が接続する面は、前記ロック用舌片と係合するロック用開口部を備え、
前記ロック用舌片と前記ロック用開口部の外形輪郭が直線から形成されることを特徴とする緩衝材。
【発明の詳細な説明】
【技術分野】
【０００１】
本発明は、箱体内に収容される物品を衝撃から保護する緩衝材を備える箱体及び緩衝材に関し、より詳しくは、安全且つ低労力で解体作業を行なうことができる箱体及び緩衝材に関する。
【背景技術】
【０００２】
多くの工業製品は、例えば、倉庫での保管時或いは納品のための運搬時に箱体内に梱包されている。倉庫保管時における箱体積載作業や運搬時における衝撃から箱体内に梱包された製品を保護するために、緩衝材が用いられることが多い。
【０００３】
緩衝材としては、従来、発泡スチロールが用いられることが多かったが、廃棄処理の煩雑性並びに環境への負荷を考慮して、紙製のシート材を筒状に形成し、この筒状体を緩衝材として用いることが増えてきている。
このような紙製の緩衝材或いは緩衝材付箱体の一例が、特許文献１及び２に開示されている。
【０００４】
紙製の筒状緩衝材を用いた場合の問題として、解体の困難性を挙げることができる。
一般に梱包用箱体には、段ボールシート材が用いられるが、段ボールシート材の嵩高さから、廃棄時或いは再処理時には、箱体を解体或いは展開し、シート状に戻すことが求められる。箱体の解体或いは展開作業は、手作業で行なわれることが多い。箱体を解体或いは展開する作業者は、箱体の破れや変形を気にする必要がないため、組み立て時以上に大きな力を箱体に加えて作業を遂行する。このため、段ボールの縁部と作業者の手の間に生ずるせん断力に起因して、作業者が手を負傷することも多い。
【０００５】
このような作業者の負傷を防止するため、特許文献３に開示されるような波型のトムソン刃により、切り抜かれた段ボールシートを用いた箱体が用いられることも多い。
波型の切り抜き輪郭を有する段ボールシートから箱体を形成すると、箱体或いは緩衝材形状を維持するために噛み合わせた段ボール紙片間の摩擦力が増大するため、箱体或いは緩衝材の解体に係る労力は更に増大することとなる。
【０００６】
【特許文献１】特開２００７−２０４１４７号公報
【特許文献２】特開平８−８０９７２号公報
【特許文献３】実開平２−６６９９９号公報
【発明の開示】
【発明が解決しようとする課題】
【０００７】
上述の如く、解体作業を安全且つ少ない労力で実行可能な箱体は、これまで存在していない。
本発明は、上記実情を鑑みてなされたものであって、安全且つ低労力で、解体作業を行なうことができる箱体及び緩衝材を提供することを目的とする。
【課題を解決するための手段】
【０００８】
請求項１記載の発明は、連続する波形曲線からなる外形輪郭線で囲まれる一のシート材からなる箱体であって、筒状の胴体部と、該胴体部の両端を閉塞する一対の閉塞面と、該閉塞面に接続するとともに、前記箱体の角隅部に配される筒状の緩衝材からなり、前記緩衝材の周面に少なくとも１つのロック用開口部が形成され、前記箱体は、前記ロック用開口部に係合可能なロック用舌片を備え、前記ロック用舌片及び前記ロック用開口部の外形輪郭が直線から形成されることを特徴とする箱体である。
請求項２記載の発明は、前記緩衝材は、前記閉塞面から連接するとともに折り曲げ線により区画される５つの面からなり、前記緩衝材は、各面を他の面に対して、前記折り曲げ線を軸に折り曲げて、角筒状に形成され、前記５つの面のうち、前記閉塞面に隣接する面は、前記ロック用舌片を備え、前記５つの面のうち、前記閉塞面から最も離れた面に隣接する面は、前記ロック用開口部を備えることを特徴とする請求項１記載の箱体である。
請求項３記載の発明は、前記ロック用舌片の基端部にミシン目加工が施されることを特徴とする請求項１又は２記載の箱体である。
【０００９】
請求項４記載の発明は、連続する波形曲線からなる外形輪郭線で囲まれる一のシート材を折り曲げてなる角筒状の緩衝材であって、前記シート材は、折り曲げ線により区画される５つの面を有し、前記シート材の一方の端に存する面と、他方の端に存する面が重ねられ、前記一方の端に存する面は、該面から折り曲げられて突出するロック用舌片を備え、前記他方の端に存する面が接続する面は、前記ロック用舌片と係合するロック用開口部を備え、前記ロック用舌片と前記ロック用開口部の外形輪郭が直線から形成されることを特徴とする緩衝材である。
【発明の効果】
【００１０】
請求項１記載の発明によれば、ロック用舌片とロック用開口部の外形輪郭が直線から形成されるので、ロック用舌片とロック用開口部間の係合の解除を少ない労力で行なうことができる。
請求項２記載の発明によれば、緩衝材が角筒状に形成されるので、箱体の角隅部に隣接して配することができ、箱体内の収容空間の無駄を省くことができる。
請求項３記載の発明によれば、ロック用舌片とロック用開口部間の係合の解除が更に容易になる。
請求項４記載の発明によれば、ロック用舌片とロック用開口部の外形輪郭が直線から形成されるので、ロック用舌片とロック用開口部間の係合の解除を少ない労力で行なうことができる。また、緩衝材が角筒状に形成されるので、箱体の角隅部に隣接して配することができ、箱体内の収容空間の無駄を省くことができる。
【発明を実施するための最良の形態】
【００１１】
以下、本発明に係る緩衝材付箱体及び緩衝材について、図面を参照しつつ説明する。
図１は、本発明の緩衝材付箱体の展開図である。
図１に示す如く、緩衝材付箱体は、１枚のシート材（１）を折り曲げて形成される。実施例において、シート材は、段ボール紙からなるが、本発明はこれに限定されるものではなく、物品を収容するために適切な他の材料を用いてもよい。
【００１２】
シート材（１）は、平面視略矩形状の中央帯領域（２）を備える。中央帯領域（２）は、図１中点線で示される複数の折り曲げ線により、複数の面に区画される。図１において、最上位置にある領域は、箱体の上面を形成する上面紙片（２１）である。上面紙片（２１）に隣接する領域は、箱体の背面を形成する背面紙片（２２）である。背面紙片（２２）に隣接する領域は、箱体の底面を形成する底面紙片（２３）である。底面紙片（２３）に隣接する領域は、箱体の正面を形成する正面紙片（２４）である。
上面紙片（２１）、背面紙片（２２）、底面紙片（２３）及び正面紙片（２４）は、折り曲げ線に沿って折り曲げられ、箱体の角筒状の胴体部を形成する。
【００１３】
組み立てられた箱体内には、底面紙片（２３）と接続する断面コ字状の底部緩衝材が形成される。図１において、中央帯領域（２）の最下位置にある領域は、底部緩衝材の背面を形成する底部緩衝材背面紙片（２９）である。底部緩衝材背面紙片（２９）に隣接する領域は、底部緩衝材の上面を形成する底部緩衝材上面紙片（２８）である。底部緩衝材上面紙片（２８）に隣接する領域は、底部緩衝材の正面を形成する底部緩衝材正面紙片（２７）である。
底部緩衝材背面紙片（２９）の下縁には、矩形状の突出部（２９１）が形成される。背面紙片（２２）と底面紙片（２３）の境界の折り曲げ線上には、開口部（２９２）が形成され、突出部（２９１）は、開口部（２９２）と係合する。
【００１４】
底面紙片（２３）の左右縁から、一対のフラップ部（３）が延出する。左右のフラップ部（３）は、同一形状であり、左右対称をなす。フラップ部（３）は、図１中点線で示される複数の折り曲げ線により、複数の領域に区画される。
中央帯領域（２）の底面紙片（２３）に隣接する面は、側面紙片（３１）である。側面紙片（３１）は、上面紙片（２１）、背面紙片（２２）、底面紙片（２３）及び正面紙片（２４）により形成される角筒状の箱体胴体部の左右端開口部を閉塞し、箱体の左右側面を形成する。
側面紙片（３１）の上側に隣接する領域は、背面差込紙片（３２）である。背面差込紙片（３２）は、箱体組み立て時において、底部緩衝材の背面紙片（２９）と、箱体の背面紙片（２２）の間に差し込まれる。
【００１５】
側面紙片（３１）の下方に連なる領域は、上から順に、第１紙片（３３）、第２紙片（３４）、第３紙片（３５）、第４紙片（３６）及び第５紙片（３７）である。第１紙片（３３）乃至第５紙片（３７）は、隣接する紙片に対して、折り曲げ線に沿って、直角に折り曲げられ、角筒状の角隅部緩衝材を形成する。角隅部緩衝材は、箱体組み立て後において、箱体正面側角隅部に位置することとなる。
第５紙片（３７）の下縁には、突出部（３７１）が形成される。第１紙片（３３）と第２紙片（３４）の間の折り曲げ線に沿って、矩形状の開口部（３７２）が形成される。角隅部緩衝材組み立て時において、第５紙片（３７）は、第１紙片（３３）と重なり合い、突出部（３７１）は、開口部（３７２）と係合する。
【００１６】
中央帯領域（２）の正面紙片（２４）の下方に隣接する領域は、左右に一対配される上面被覆紙片（２５）である。上面被覆紙片（２５）は、第１紙片（３３）乃至第５紙片（３７）により形成される角筒状の角隅部緩衝材の上面を覆う。
上面被覆紙片（２５）と底部緩衝材正面紙片（２７）の間に存する領域は、仕切紙片（２６）である。仕切紙片（２６）は、箱体組み立て後において、底部緩衝材と角隅部緩衝材の間に位置し、上面紙片（２１）、背面紙片（２２）、底面紙片（２３）及び正面紙片（２４）により形成される箱体胴体部長手方向に延設し、箱体内部空間を仕切る。
【００１７】
底部緩衝材正面紙片（２７）の略中央に、下方に向かって狭まる略台形状の開口部（２７１）が形成される。仕切紙片（２６）には、台形状のロック用開口部（２７１）の斜辺と略等しい角度で傾斜した一対の切り込み線（２６１）が形成される。また、仕切板片（２６）には、一対の切り込み線（２６１）の上端を接続するミシン目（２６２）が形成される。切り込み線（２６１）とミシン目（２６２）で囲まれる領域は、開口部（２７１）と略同形同大のロック用舌片（２６３）となる。ロック用舌片（２６３）は、ミシン目（２６２）に沿って折り曲げられ、ロック用開口部（２７１）と係合する。
【００１８】
フラップ部（３）の第４紙片（３６）には、矩形状のロック用開口部（３６１）が形成される。フラップ部（３）の第１紙片（３３）には、３辺を切り込み線（３３１）、他の１辺をミシン目（３３２）で囲まれるロック用舌片（３３３）が形成される。ロック用舌片（３３３）は、上方に向けて狭まる台形状であり、台形の上辺を形成するミシン目（３３２）に沿って折り曲げ可能である。角隅部緩衝材が組み立てられたとき、ロック用舌片（３３３）は、ロック用開口部（３６１）に係合する。
【００１９】
中央帯領域（２）の左右一対の上面被覆紙片（２５）の間には、開口部（２５１）が形成される。正面紙片（２４）は、下方にわずかに隆起する矩形状の隆起領域（２４１）を備える。正面紙片（２４）は、隆起領域（２４１）から更に下方に突出する略矩形状の突出部（２４２）を備える。突出部（２４２）の左右縁の延長線に沿って、一対の切り込み線が、正面紙片（２４）内部領域途中部まで延出する。また、突出部（２４２）は、上面被覆紙片（２５）と正面紙片（２４）との間に形成される折り曲げ線の延長線に一致する位置に折り曲げ線を備える。
上面紙片（２１）の上縁から、正面差込紙片（２１１）が突出する。正面差込紙片（２１１）と上面紙片（２１）の境界には折り曲げ線が形成される。正面差込紙片（２１１）と上面紙片（２１）の境界線の中間位置には、当該境界線より若干上方に中心点を有する円形の開口部（２１２）が形成される。また、円形の開口部（２１２）を横切るように、コ字状の切り込み線（２１３）が形成される。コ字状の切り込み線（２１３）のうち、中央に位置する切り込み線部は、円形の開口部（２１２）の略中心を横切り、この切り込み線部の両端部から一対の短い切り込み線部が、正面差込紙片（２１１）と上面紙片（２１）の境界の折り曲げ線に向けて延出する。
箱体組み立て時において、正面紙片（２４）に対して、上面被覆紙片（２５）が直角に折り曲げられると、正面紙片（２４）の隆起部（２４１）に起因して、箱体上面に開口するスリット部が形成される。正面差込紙片（２１１）は、上面紙片（２１）に対して直角に折り曲げられ、このスリット部に正面差込紙片（２１１）が挿入される。
正面差込紙片（２１１）が、上面紙片（２１）に対して直角に折り曲げられるとき、コ字状の切り込み線によって、上面紙片（２１）と正面差込紙片（２１１）の境界に矩形状のスリット部が形成される。このスリット部に、折り曲げ線に沿って仕切紙片（２６）に対して直角に折り曲げられた突出部（２６１）が挿入される。切り込み線（２６２）は、突出部（２６１）のスリット部への挿入を容易化する。これにより、上面紙片（２１）が箱体上面位置に固定されることとなる。
【００２０】
上面紙片（２１）の左右縁からは、一対の側面差込紙片（２１４）が延出する。側面差込紙片（２１４）は、箱体組み立て後において、側面紙片（３１）と、角隅部緩衝材の第４紙片（３６）の間に差し込まれる。
【００２１】
図１中の拡大図に示す如く、シート材（１）の外周輪郭は、連続する小波形状の曲線により形成される。これにより、箱体解体時或いは組み立て時において、箱体を取り扱う者の手とシート材（１）輪郭縁部との間に生ずるせん断力に起因する怪我の防止を図ることができる。
一方で、ロック紙片（３３３，２６３）を形成する切り込み線（３３１，２６１）は、直線状に形成される。また、ロック紙片（３３３，２６３）が係合するロック用開口部（３６１，２７１）の縁部は、直線から形成される。
【００２２】
図２は、箱体を一部を展開した状態を示し、図２（ａ）は、箱体の平面図であり、図２（ｂ）は、図２（ａ）におけるＡ−Ａ線断面図である。尚、図２に示す箱体において、背面紙片（２２）及び上面紙片（２１）は、展開された状態にある。
箱体（１０）を展開するとき、まず、正面紙片（２４）の突出部（２４２）が、上面紙片（２１）と正面差込紙片（２１１）の境界に形成されたスリット部から引抜かれる。これにより、上面紙片（２１）及び背面紙片（２２）が展開可能になる。また、背面紙片（２２）と底部緩衝材（４）の背面紙片（２９）の間に挟まれていた背面差込紙片（３２）は、背面差込紙片（３２）と側面紙片（３１）の境界を形成する折り曲げ線を軸に自由に回動可能となる。
【００２３】
上面紙片（２１）及び背面紙片（２２）を展開すると、底面紙片（２３）、仕切紙片（２６）及び一対の側面紙片（３１）により定められる箱体（１０）の内部空間底部に、低面紙片（２３）に向けて開口した断面コ字形状の底部緩衝材（４）が現れる。底部緩衝材（４）は、底面紙片（２３）に対して、垂直に立設する底部緩衝材背面紙片（２９）及び底部緩衝材正面紙片（２７）と、底部緩衝材背面紙片（２９）及び底部緩衝材正面紙片（２７）の端縁を接続する底部緩衝材上面紙片（２８）からなる。底部緩衝材背面紙片（２９）は、背面紙片（２２）と底面紙片（２３）の間に形成された開口部（２９２）と、底部緩衝材背面紙片（２９）の突出部（２９１）との間の係合により、底面紙片（２３）に接続する。底部緩衝材正面紙片（２７）は、底部緩衝材正面紙片（２７）と仕切紙片（２６）との間の折り曲げ線を介して、仕切紙片（２６）と接続する。
【００２４】
仕切紙片（２６）は、底部緩衝材正面紙片（２７）と仕切紙片（２６）との間の折り曲げ線を軸に、底部緩衝材正面紙片（２７）に対して３６０°回転され、底面紙片（２３）に対して、垂直に立設する。図２に示す如く、仕切紙片（２６）は、底部緩衝材正面紙片（２７）に対して併設することとなる。この状態において、上面被覆紙片（２５）の間に形成された開口部（２５１）を介して、仕切紙片（２６）のロック用舌片（２６３）を底部緩衝材正面紙片（２７）の開口部（２７１）に押し込むことができる。これにより、仕切紙片（２６）と底部緩衝材正面紙片（２７）の併設状態を維持することができる。
上面被覆紙片（２５）は、仕切紙片（２６）と正面紙片（２４）の縁部を箱体（１０）の上面に沿って接続する。上面被覆紙片（２５）、仕切紙片（２６）、正面紙片（２４）及び底面紙片（２３）に囲まれる箱体（１０）内部空間には、角隅部緩衝材（５）が位置する。
【００２５】
図３は、背面紙片（２２）と底面紙片（２３）の境界の開口部（２９２）と、底部緩衝材背面紙片（２９）の突出部（２９１）の間の係合を解除し、正面紙片（２４）、上面被覆紙片（２５）、仕切紙片（２６）、底部緩衝材正面紙片（２７）、底部緩衝材正面紙片（２８）及び底部緩衝材背面紙片（２９）を順次展開した状態を示す。
この展開時において、仕切紙片（２６）のロック用舌片（２６３）と、底部緩衝材正面紙片（２７）の開口部（２７１）の接触する辺は、直線状に形成されているので、ロック用舌片（２６３）を底部緩衝材正面紙片（２７）から容易に引抜くことが可能である。また、ミシン目（２６２）に沿って、ロック用舌片（２６３）を切断することにより、ロック用舌片（２６３）と開口部（２７１）間の係合を解除してもよい。
【００２６】
正面紙片（２４）、上面被覆紙片（２５）、仕切紙片（２６）、底部緩衝材正面紙片（２７）、底部緩衝材正面紙片（２８）及び底部緩衝材背面紙片（２９）を展開すると、底面紙片（２３）上に、左右一対の角隅部緩衝材（５）が現れる。
角隅部緩衝材（５）は、側面紙片（３１）から直角に折れ曲がって延設する第１紙片（３３）、第１紙片（３３）から直角に折れ曲がり、背面紙片（２２）に向けて延設する第２紙片（３４）、第２紙片（３４）から直角に折れ曲がり、側面紙片（３１）に向けて延設する第３紙片（３５）、第３紙片（３５）から直角に折れ曲がり、第１紙片（３３）に向けて延設する第４紙片（３６）、第４紙片（３６）から直角に折れ曲がり、角隅部緩衝材（５）内部を第１紙片（３３）に沿って延設する第５紙片（３７）からなる。第５紙片（３７）先端の突出部（３７１）は、第１紙片（３３）と第２紙片（３４）の境界に形成された開口部（３７２）と係合している（図１参照）。
第４紙片（３６）は、側面紙片（３１）から離間している。第４紙片（３６）と側面紙片（３１）の間の空間を通じて、第１紙片（３３）からミシン目（３３２）を軸に折り曲げられたロック用舌片（３３３）に到達することができ、これにより、ロック用舌片（３３３）を第４紙片（３６）の開口部（３６１）に押し込むことが可能である（図１参照）。ロック用舌片（３３３）と開口部（３６１）の係合により、第１紙片（３３）乃至第５紙片（３７）の渦巻状の巻回状態が保たれることとなる。
【００２７】
図３に示す状態から、側面紙片（３１）を左右に押し倒し、第１紙片（３３）乃至第５紙片（３７）を順次展開することにより、図１に示す薄いシート材（１）に戻すことが可能となる。第１紙片（３３）乃至第５紙片（３７）の巻回状態を保つロック用舌片（３３３）と開口部（３６１）の間の係合は、ロック用舌片（３３３）と開口部（３６１）の輪郭が直線で構成されるため、容易に解除可能である。或いは、ロック用舌片（３３３）の基端部のミシン目（３３２）に沿って、ロック用舌片（３３３）を切り取ることにより、これらの係合を解除してもよい。
【００２８】
尚、第１紙片（３３）乃至第５紙片（３７）からなる緩衝材は、箱体（１０）と一体に形成される必要はない。第１紙片（３３）乃至第５紙片（３７）からなる緩衝材を、箱体（１０）を構成する構造体と別体に形成し、箱体（１０）内の所望の位置に緩衝材として配設してもよい。
【産業上の利用可能性】
【００２９】
本発明は、物品を収容する箱体及び箱体内の物品を衝撃から保護する緩衝材に好適に利用可能である。
【図面の簡単な説明】
【００３０】
【図１】本発明に係る箱体に用いられるシート材である。
【図２】本発明に係る箱体の一部展開図である。
【図３】本発明に係る箱体の一部展開図である。
【符号の説明】
【００３１】
１・・・・・・・・・・・・・シート材
１０・・・・・・・・・・・・箱体
２１・・・・・・・・・・・・上面紙片
２２・・・・・・・・・・・・背面紙片
２３・・・・・・・・・・・・底面紙片
２４・・・・・・・・・・・・正面紙片
２６２・・・・・・・・・・・ミシン目
２６３・・・・・・・・・・・ロック用舌片
２７１・・・・・・・・・・・ロック用開口部
３１・・・・・・・・・・・・側面紙片
３３・・・・・・・・・・・・第１紙片
３３２・・・・・・・・・・・ミシン目
３３３・・・・・・・・・・・ロック用舌片
３４・・・・・・・・・・・・第２紙片
３５・・・・・・・・・・・・第３紙片
３６・・・・・・・・・・・・第４紙片
３６１・・・・・・・・・・・ロック用開口部
３７・・・・・・・・・・・・第５紙片
４・・・・・・・・・・・・・底部緩衝材
５・・・・・・・・・・・・・角隅部緩衝材
【図１】
2010126202.tif 000003
【図２】
2010126202.tif 000004
【図３】
2010126202.tif 000005